【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】
遊技機の枠ベースに各種部品を取り付けることにより枠を組み立てる遊技機組立ライン装置であって、
枠前側に取り付けられる各種部品が着脱可能または仮固定可能な構造の枠ベースを後側に傾斜させて支持し、その状態で前記枠ベースを所定方向に搬送する枠ベース支持搬送手段を備えたことを特徴とする遊技機組立ライン装置。
【請求項２】
前記枠ベース支持搬送手段は、前記枠ベースに摺接する転動体と、前記転動体が回転可能に取り付けられ、前記枠ベースを後側に傾斜させて支持するライン本体と、前記転動体を回転駆動させる駆動手段とを有することを特徴とする請求項１に記載の遊技機組立ライン装置。
【請求項３】
前記転動体は、前記枠ベースの背面上端部に摺接する上部ローラと、前記枠ベースの底面に摺接する下部ローラとによって構成されることを特徴とする請求項２に記載の遊技機組立ライン装置。
【請求項４】
前記下部ローラは、その回転軸が前記ライン本体の傾斜面に直交して取り付けられ、その下部ローラの後側には、前記下部ローラよりも直径が大きく、前記枠ベースの背面下端部に摺接してその移動を規制する移動規制ローラが設けられていることを特徴とする請求項３に記載の遊技機組立ライン装置。
【請求項５】
前記駆動手段は、前記下部ローラ及び前記移動規制ローラを一体的に回転駆動させることを特徴とする請求項４に記載の遊技機組立ライン装置。
【請求項６】
前記上部ローラ及び前記移動規制ローラは、前記下部ローラの回転軸方向に沿ってその固定位置を変更可能であることを特徴とする請求項４または５に記載の遊技機組立ライン装置。
【請求項７】
前記ライン本体において前記上部ローラの上方位置に、前記枠ベースの上面に近接または摺接する移動規制体を設けたことを特徴とする請求項３乃至６のいずれか１項に記載の遊技機組立ライン装置。
【請求項８】
前記枠ベースの後傾角度は２０°〜４０°であることを特徴とする請求項３乃至７のいずれか１項に記載の遊技機組立ライン装置。
【請求項９】
前記枠ベース支持搬送手段は、枠組立用搬送台の後傾角度を変更するための角度変更手段を有することを特徴とする請求項１乃至８のいずれか１項に記載の遊技機組立ライン装置。
【請求項１０】
枠ベースに各種部品を取り付けることにより枠を組み立てる遊技機組立ライン装置を用いて、遊技機を製造する方法において、
前記遊技機組立ライン装置は、枠前側に取り付けられる各種部品が着脱可能または仮固定可能な構造の枠ベースを後側に傾斜させて支持し、その状態で前記枠ベースを所定方向に搬送する枠ベース支持搬送手段を備えていることを特徴とする遊技機の製造方法。
【手続補正２】
【補正対象書類名】明細書
【補正対象項目名】０００２
【補正方法】変更
【補正の内容】
【０００２】
【従来の技術】
従来、遊技盤、中枠（前枠）、外枠などを備えたパチンコ機等の遊技機がよく知られている。かかる遊技盤、中枠、外枠を有機的かつ一体的に組み立てるライン装置でパチンコ機が完成するようになっている。
【手続補正３】
【補正対象書類名】明細書
【補正対象項目名】００２３
【補正方法】変更
【補正の内容】
【００２３】
従って、請求項６に記載の発明によると、上部ローラ及び移動規制ローラの固定位置を変更することにより、ライン本体の傾斜面から上部ローラ及び移動規制ローラまでの距離を適宜調整することができる。例えば、背面側に突出した形状の枠ベースを支持したい場合には、上部ローラ及び移動規制ローラを前方に（即ちライン本体の傾斜面から遠ざかる方向に）移動させて固定することにより、当該枠ベースとライン本体の傾斜面との接触を回避することができる。また、背面側への突出の少ない形状の枠ベースを支持したい場合には、上部ローラ及び移動規制ローラを後方に（即ちライン本体の傾斜面に近づく方向に）移動させて固定することにより、当該枠ベースをより安定的に支持、搬送することができる。つまり、本発明の構成によれば、様々な形状の枠ベースに対応することが可能となる。さらに、枠ベースの背面側に各種部品が装着された場合においても、該部品をライン本体の傾斜面と接触させることなく枠ベースを搬送することが可能となる。
【手続補正４】
【補正対象書類名】明細書
【補正対象項目名】００２８
【補正方法】変更
【補正の内容】
【００２８】
請求項９に記載の発明は、請求項１乃至８のいずれか１項において、前記枠ベース支持搬送手段は、枠組立用搬送台の後傾角度を変更するための角度変更手段を有することをその要旨とする。
【手続補正５】
【補正対象書類名】明細書
【補正対象項目名】００５７
【補正方法】変更
【補正の内容】
【００５７】
また、図６に示すように、前記支持台８２にはシリンダ取り付け用のフレーム９４が延設されていて、そのフレーム９４にはさらに別の流体圧シリンダ９３（搬出用アクチュエータ）のシリンダ本体９３ａが取り付けられている。従って、支持台８２の回動に伴って、フレーム９４及び流体圧シリンダ９３も回動するようになっている（図９参照）。この流体圧シリンダ９３のシリンダ本体９３ａからは、押圧板付きのロッド９３ｂが突出している。そして、流体圧シリンダ９３を駆動すると、押圧板付きのロッド９３ｂが突出して搬出装置３４における支持台８２の上方に到るようになっている。よって、支持台８２上にて水平に載置された枠ベース１２が、押圧板付きのロッド９３ｂによって水平方向（具体的には図５、図６の右方向）に押圧される。その結果、枠ベース１２が次工程（ビス締め工程Ｓ２−２）に向けて搬出されるようになっている。
【手続補正６】
【補正対象書類名】明細書
【補正対象項目名】００７１
【補正方法】変更
【補正の内容】
【００７１】
・前記実施形態では、搬送機構３２のライン本体４１は、後側に約３０゜傾斜した状態に形成されている。そして、この後傾角度（所定角度θ）は約３０゜に固定されている。しかし、少なくとも支持台６３に角度変更手段を設け、該後傾角度を自由に設定できるようにしてもよい。具体的には、例えば図１０に示すように、ライン本体４１の基部４３の裏面下部と作業台４２とを連結する回動機構９６を設けるとともに、基部４３の裏面と作業台４２とを連結する流体圧シリンダ９７（回動用アクチュエータ）を設ける。詳しくは、回動機構９６の固定軸部を作業台４２に固定し、回動機構９６の回動軸部を基部４３の裏面下部に固定する。また、流体圧シリンダ９７のシリンダ本体９７ａを作業台４２上面に回動可能に固定し、流体圧シリンダ９７のロッド９７ｂを基部４３の裏面に回動可能に軸支する。このようにすれば、流体圧シリンダ９７の駆動により、ライン本体４１は回動機構９６を中心として回動するため、後傾角度が所定範囲内において変更可能となる。よって、例えば作業者の好みや、製造しようとするパチンコ機１０の機種の違いや、枠ベース１２の安定性等に応じて、後傾角度を最適に設定することができる。即ち、このようにした場合、回動機構９６及び流体圧シリンダ９７は、ライン本体４１の後傾角度を変更する角度変更手段として機能する。
また、基部４３が作業台４２に対して、あるいは下部ローラ４６（移動規制ローラ４７）及び上部ローラ５０のうちの少なくともいずれか一方が基部４３に対して、上下動するように構成してもよい。このように構成すれば、より詳細な高さ設定が可能となる。
【手続補正７】
【補正対象書類名】明細書
【補正対象項目名】００７２
【補正方法】変更
【補正の内容】
【００７２】
・ライン本体４１に設けられた移動規制ローラ４７及び上部ローラ５０は、下部ローラ４６の回転軸に沿って固定位置が変更可能となっていてもよい。このようにすれば、ライン本体４１の傾斜面（基部４３の前面）から移動規制ローラ４７及び上部ローラ５０までの距離を適宜調整することができる。例えば、背面側に突出した形状の枠ベース１２をライン本体４１に搭載したい場合には、移動規制ローラ４７及び上部ローラ５０を前方に移動させて固定することにより、当該枠ベース１２と基部４３との接触を回避することができる。また、背面側への突出の少ない形状の枠ベース１２をライン本体４１に搭載したい場合には、移動規制ローラ４７及び上部ローラ５０を後方に移動させて固定することにより、当該枠ベース１２をより安定的に支持、搬送することができる。つまり、こうした構成によれば、様々な形状の枠ベース１２に対応することが可能となる。さらに、枠ベース１２の背面側に各種部品が装着された場合においても、該部品をライン本体４１の傾斜面と接触させることなく枠ベース１２を搬送することが可能となる。
また、移動規制ローラ４７（下部ローラ４６）及び上部ローラ５０のうちの少なくともいずれか一方を基部４３に対して、前後動するように構成してもよい。このように構成すれば、ライン本体４１の後傾角度を変更する角度変更手段を用いることなく、枠ベース１２の傾斜角度を調整することが可能となる。
【手続補正８】
【補正対象書類名】明細書
【補正対象項目名】符号の説明
【補正方法】変更
【補正の内容】
【符号の説明】
１０…遊技機としてのパチンコ機
１２…枠ベースとしての枠ベース
１５…各種部品としての上皿ユニット
２０…各種部品としての下皿ユニット
３１…遊技機組立ライン装置
３２…枠ベース支持搬送手段としての水平搬送機構
４１…ライン本体
４６…下部ローラ
４７…移動規制ローラ
４８…駆動手段
５０…上部ローラ
５１…移動規制体
９６…角度変更手段としての回動機構
９７…角度変更手段としての回動用アクチュエータ